(57)【要約】【課題】エアコンの室内機等の空気調和機に使用される送風装置において、リアガイダ入口部での干渉騒音の減少と、風量特性の向上を目的とする。【解決手段】側板１０１と、クロスフローファン１０８と、スタビライザ１０３と、リアガイダ１０５を備え、リアガイダ最接近部１０６よりなだらかに延長した突起Ｃ５をクロスフローファン軸１１０と平行で無く、かつ突起Ｃ５の高さよりも小さい幅でクロスフローファン軸１１０の方向に高さを変化させることにより、ブレードとの干渉のタイミングをずらし、逆流渦６を乱して小さくするので、干渉騒音の低減と、風量特性の向上ができる。【選択図】図３
2005273601.tif 000002
【特許請求の範囲】
【請求項１】
クロスフローファンと、それを取り囲むスタビライザとリアガイダを有する送風装置において、前記リアガイダの形状を前記クロスフローファン軸方向に変化させることにより干渉音の低減を行っていることを特徴とした送風装置。
【請求項２】
クロスフローファンと、それを取り囲むスタビライザとリアガイダと、前記リアガイダ最接近部吸込み側から延長した突起を有する送風装置において、前記突起先端の稜線が、クロスフローファン軸と平行でないことを特徴とした送風装置。
【請求項３】
突起が、クロスフローファン軸方向に、複数の変極点を持ち高さが変化していることを特徴とした請求項２に記載の送風装置。
【請求項４】
突起が、クロスフローファン軸方向に、前記突起高さより小さい間隔で１つ、または２つ以上の変極点を持ちながら高さが変化していることを特徴とした請求項３に記載の送風装置。
【請求項５】
突起が、クロスフローファン軸方向に、前記突起高さより小さい間隔で１個所、または２箇所以上でエッジを有して変化しながら高さが変化していることを特徴とした、請求項３に記載の送風装置。
【請求項６】
ブレードを周方向にひねったクロスフローファンと、それを取り囲むスタビライザとリアガイダと、前記リアガイダ最接近部吸込み側から延長した突起を有する送風装置において、前記突起先端の稜線が、前記クロスフローファンひねりと逆方向にひねられて変化していることを特徴とした送風装置。
【請求項７】
クロスフローファン軸に垂直なスタビライザ断面形状が、前記クロスフローファン軸方向に一定形状でないことを特徴とした、請求項１から６いずれかに記載の送風装置。
【発明の詳細な説明】
【技術分野】
【０００１】
本発明は、エアコンの室内機等の空気調和機に使用される、クロスフローファンを有する送風装置に関する。
【背景技術】
【０００２】
従来のこの種の送風装置は、スタビライザ入口部と最接近部、リアガイダ入口部と再接近部において、クロスフローファンとの距離が接近すると干渉騒音を生じた（例えば特許文献１参照）。
【０００３】
以下、その送風装置について、図５を参照しながら説明する。
【０００４】
図５において、送風装置本体は、２つの側板１０１（手前側は省略）の間にクロスフローファン１０２を配置し、クロスフローファン１０２に近接させてスタビライザ１０３を配置し、通風路１０４を形成するようにリアガイダ１０５を配置させた構成となっており、リアガイダ最接近部１０６から突起１０７が延長されている。
【０００５】
図５において、クロスフローファン１０２を回転させることにより、吸込み空気が、スタビライザ１０３とリアガイダ１０５の間の吸込み部１０８から流入し、スタビライザ１０３とリアガイダ１０５の間の風吹出し口１０９から流出するという構成となっている。
【０００６】
なお、クロスフローファン１０２はその軸１１０を２つの側板の軸受（図示していない）に支えられ、側板１０１に設置された電動機により回転する構造となっている。
【特許文献１】特開平１１-３０５０５４号公報（図５）
【発明の開示】
【発明が解決しようとする課題】
【０００７】
このような従来の送風装置では、スタビライザ入口部と最接近部、リアガイダ入口部と再接近部において、ファンとの距離が接近すると干渉騒音を生じた。また、ファン吸込み側リアガイダ付近での吸引力が弱い為、クロスフローファン回転時に逆流渦が発生し、吸込み流れが妨げられ、風量特性が悪化することもあった。
【０００８】
本発明は、このような従来の課題を解決するものであり、リアガイダ入口部での干渉騒音の低減と、風量特性を向上させる送風機器を提供することを目的としている。
【課題を解決するための手段】
【０００９】
本発明の送風装置は、クロスフローファンと、それを取り囲むスタビライザとリアガイダを有する送風装置において、前記リアガイダの形状を前記クロスフローファン軸方向に変化させること特徴としたものである。
【００１０】
この手段により、クロスフローファンとリアガイダとの干渉のタイミングをずらし、干渉騒音の低減ができる送風装置が得られる。
【００１１】
また、他の手段は、クロスフローファンと、それを取り囲むスタビライザとリアガイダと、前記リアガイダ最接近部吸込み側から延長した突起を有する送風装置において、前記突起先端の稜線が、クロスフローファン軸と平行でないことを特徴としたものである。
【００１２】
この手段により、リアガイダ入口部でのクロスフローファンとの干渉のタイミングをずらし、干渉騒音の低減ができる送風装置が得られる。
【００１３】
また他の手段は、突起が、クロスフローフアン軸方向に、複数の変極点を持ち高さが変化していることを特徴としたものである。
【００１４】
この手段により、クロスフローファン軸方向に全体で一様な干渉のタイミングのずらし方だけでなく、任意に局所的にタイミングをずらすことができ、特に、連毎にブレードの位相を変えたクロスフローファンなどでは、各連において細かくタイミングを変え、いっそう干渉騒音の低減ができる送風装置がえられる。
【００１５】
また他の手段は、突起が、クロスフローファン軸方向に、前記突起高さより小さい間隔で１つ、または２つ以上の変極点を持ちながら高さが変化していることを特徴としたものである。
【００１６】
この手段により、クロスフローファンの回転によるリアガイダ入口部で生じる逆流渦を、吸込み流れとの合流部で乱して小さくし、吸込み流れを容易にすることができ、また、同時にリアガイダ入口部での干渉のタイミングをずらすこともでき、干渉騒音の低減と、風量特性の向上ができる送風機器が得られる。
【００１７】
また他の手段は、突起が、クロスフローファン軸方向に、前記突起高さより小さい間隔で１個所、または２箇所以上でエッジを有して変化しながら高さが変化していることを特徴としたものである。
【００１８】
この手段により、クロスフローファンの回転によるリアガイダ入口部で生じる逆流渦を、エッジでさらに乱して渦を小さくし、吸込み流れをいっそう容易にすることができ、また、同時にリアガイダ入口部での干渉のタイミングをずらすこともでき、干渉騒音の低減と、風量特性の向上ができる送風機器が得られる。
【００１９】
また他の手段は、ブレードを周方向にひねったクロスフローファンと、それを取り囲むスタビライザとリアガイダとリアガイダ最接近部吸込み側から延長した突起を有する送風装置において、この前記突起先端の稜線が、前記クロスフローファンひねりと逆方向に高さが変化していることを特徴としたものである。
【００２０】
この手段により、ブレード各々とリアガイダ入口部の干渉のタイミングを、リアガイダ突起の変化のみのときよりも大きくずらすことができ、干渉騒音低減効果の大きい送風機器が得られる。
【００２１】
また他の手段は、クロスフローファン軸に垂直なスタビライザ断面形状が、前記クロスフローファン軸方向に一定形状でないものと、前記スタビライザ吸込み側の高さの変化させた突起を併用することを特徴としたものである。
【００２２】
この手段により、リアガイダ側だけでなく、スタビライザでの干渉騒音も考慮して、リアガイダ側の干渉とスタビライザ側での干渉の両方のタイミングを分離して、送風装置全体として干渉騒音を大きく低減できる送風機器が得られる。
【発明の効果】
【００２３】
本発明によれば、クロスフローファンの干渉騒音を減少させるという効果のある送風装置を提供できる。
【００２４】
また、クロスフローファンの風量特性を向上させるという効果のある送風装置を提供できる。
【発明を実施するための最良の形態】
【００２５】
本発明の請求項１記載の発明は、クロスフローファンと、それを取り囲むスタビライザとリアガイダを有する送風装置において、リアガイダの形状を前記クロスフローファン軸方向に変化させたことを特徴としたものであり、クロスフローファンとリアガイダとの干渉のタイミングをずらし、干渉騒音を低減できる作用を有する。
【００２６】
また、請求項２記載の発明は、クロスフローファンと、それを取り囲むスタビライザとリアガイダと、リアガイダ最接近部吸込み側からなだらかに延長した突起を有する送風装置において、前記突起先端の稜線が、クロスフローファン軸と平行でないことを特徴としたものであり、リアガイダ入口部での干渉のタイミングをずらすことによっての干渉騒音を低減できる作用を有する。
【００２７】
また、請求項４記載の発明は、前記突起が、軸方向に突起高さより小さい間隔で１つ、または２つ以上の変極点を持ちながら高さが変化していることを特徴としたものであり、クロスフローファンの回転によりリアガイダ入口部で生じる逆流渦を、吸込み流れとの合流部で乱して小さくすることにより吸込み流れを容易にし、風量特性を向上できる作用を有する。
【００２８】
以下、本発明の実施の形態について図面を参照しながら説明する。
【００２９】
なお、従来例と同一部分についてはその符号を用い詳細な説明は省略する。
【００３０】
（実施の形態１）
図１は、実施の形態１の斜視図であって、２つの側板１０１（手前側は省略）の間にクロスフローファン１０２を配置し、クロスフローファン１０２に近接させてスタビライザ１０３を配置し、通風路１０４を形成するようにリアガイダ１０５を配置し、リアガイダ最接近部構成１０６からなだらかに延長した突起Ａ１先端の稜線２はクロスフローファン軸１１０と平行でなく、高さをクロスフローファン軸１１０の方向に一様に変化させた構成となっている。
【００３１】
上記構成において、リアガイダ入口部である突起Ａ１がクロスフローファン軸１１０に対して周方向にゆがんでいる為、突起Ａ１の高さが一定である時のように、クロスフローファン１０２の回転時にブレード各々が突起Ａ１の部分を同時に通り抜けることがなく、干渉のタイミングをずらし、この時発生する干渉騒音を低減することができる。
【００３２】
なお、実施の形態１では、突起Ａ１において断面の曲率を保ったまま高さのみ一様に変化させているが、高さの変化は一様でなくてもよく、また断面曲率を変えた場合には突起Ａ１先端の稜線２は、クロスフローファン軸１１０と平行でない直線としてもよい。
【００３３】
（実施の形態２）
図２は、実施の形態２の斜視図であって、２つの側板１０１（手前側は省略）の間に、連毎にブレードの位相をずらしたクロスフローファン４を配置し、前記クロスフローファン４に近接させてスタビライザ１０３を配置し、通風路１０４を形成するようにリアガイダ１０５を配置したものであり、リアガイダ最接近部１０６からなだらかに延長した突起Ｂ３は、複数の変極点を持ち、直線的、または曲線的に高さを変えた構成となっている。
【００３４】
上記構成において、リアガイダ１０５の入口部である突起Ｂ３がクロスフローファン軸１１０に対して周方向にゆがんでいる為、回転時の干渉騒音を低減することができ、複数の変極点をもち、山、谷、を繰り返す為、突起Ｂ３の限られた高さのなかで、勾配の大きい高さの変化を生じさせることができる。このため、ブレード各々と突起Ｂ３とのすれ違う時間が長くなり、いっそうの干渉騒音低減の効果が得られる。また、実施の形態２では位相ずれクロスフローファン４を用いている為、各連の端で変極点を持つことにより、１連の中での余計な乱れを生じることもない。
【００３５】
なお、実施の形態２では、位相ずれクロスフローファン４を用いたが、単純な一連のクロスフローファンでもよく、また、変極点はかならずしも、各連の端でなくてもよい。
【００３６】
（実施の形態３）
図３は、実施の形態３の斜視図であって、２つの側板１０１（手前側は省略）の間に、連毎にブレードの位相をずらしたクロスフローファン４を配置し、前記クロスフローファン３に近接させてスタビライザ１０３を配置し、通風路１０４を形成するようにリアガイダ１０５を配置したものであり、リアガイダ最接近部構成１０６からなだらかに延長した突起Ｃ５は、クロスフローファン軸１１０の方向に突起高さより小さい間隔でギザギザ上にエッジを有して高さを変えた構成となっている。
【００３７】
上記構成において、突起Ｃ５の高さよりも小さな幅の高さ変化により、クロスフローファン４の回転で生じるリアガイダ１０５の入口部での逆流渦６を乱し、さらにエッジを有することによりその乱れを大きくして逆流渦６を小さくし、吸込み流れ７を容易にすることができる。また、同時にリアガイダ１０５の入口部での干渉のタイミングをずらすこともできるため、風量特性向上と、干渉騒音低減の効果が得られる。
【００３８】
なお、実施の形態３では、位相ずれクロスフローファン４を用いたが、単純な一連のクロスフローファンでもよく、また、突起Ｃ５は高さより小さな幅の変化であるが、逆流渦５を乱せる程度の変化であればよく、エッジについても、三角状のギザギザのエッジ以外に四角状の凸凹のエッジでもよく、逆流渦６を乱せる程度の高さ変化を持つように変極点を持つ曲線で滑らかに接続してもよい。
【００３９】
（実施の形態４）
図４は、実施の形態４の斜視図であって、２つの側板１０１（手前側は省略）の間にブレードを周方向にひねったクロスフローファン９と、クロスフローファン軸１１０の方向の断面形状が段差１０とねじれ１１により一定形状でないスタビライザ１０３と、通風路１０４を形成するようにリアガイダ１０５を配置し、リアガイダ最接近部構成１０６からなだらかに延長した突起Ｄ８は前記突起先端の稜線が、クロスフローファンひねりと逆方向に高さが変化している構成となっている。
【００４０】
上記構成において、突起Ｄ８の傾きだけでなく、ブレードの逆の傾きも考慮すると、これらの交わる角度がさらに大きくなる為、ひねりクロスフローファン９の回転時にブレード各々が突起Ｄ８の部分を通り抜ける干渉のタイミングをさらにずらすことができ、この時発生する干渉騒音をさらに低減することができる。また、スタビライザ１０３でも段差１０やひねり１１により干渉をずらすことができるので、リアガイダ１０５側の干渉とスタビライザ１０３側での干渉の両方のタイミングを分離して、送風装置全体として干渉騒音を大きく低減できる効果が得られる。
【産業上の利用可能性】
【００４１】
本発明にかかる送風装置は、クロスフローファンの干渉騒音の減少と送風特性の向上という作用を有し、エアコンの室内機等の空気調和機に使用される、クロスフローファンを有する送風装置として有用である。
【図面の簡単な説明】
【００４２】
【図１】本発明実施の形態１の斜視図
【図２】同実施の形態２の斜視図
【図３】同実施の形態３の斜視図
【図４】同実施の形態４の斜視図
【図５】従来の送風装置を示す斜視図
【符号の説明】
【００４３】
１  突起Ａ
２  突起Ａ先端の稜線
３  突起Ｂ
４  連位相ずれクロスフローファン
５  突起Ｃ
６  逆流渦
７  吸込み流れ
８  突起D
９  ひねりクロスフローファン
１０  スタビライザ段差
１１  スタビライザひねり
１０１  側板
１０２  クロスフローファン
１０３  スタビライザ
１０４  通風路
１０５  リアガイダ
１０６  リアガイダ最接近部
１０７  突起
１０８  吸込み口
１０９  吹出し口
１１０  クロスフローファン軸
【図１】
2005273601.tif 000003
【図２】
2005273601.tif 000004
【図３】
2005273601.tif 000005
【図４】
2005273601.tif 000006
【図５】
2005273601.tif 000007